(57)【要約】      （修正有）【課題】デザイン性に優れ、珠同士の衝突音の小さな念珠を提供する。【解決手段】親珠２と子珠３及び房部とにより成る念珠１の房部が、子珠３と同じ或いはそれよりも小さい径の孫珠４を複数個連ねた上で末端に、金属製の中空大珠５を配置する。大珠５を亜鉛合金製とするとより好ましい。更に、大珠５には透かし彫り様に多数の開口を穿設すると好ましい。また、孫珠４の表面にオーロラ加工を施しても好ましい。【選択図】図１
0003191793.tif 000002
【実用新案登録請求の範囲】
【請求項１】
親珠と子珠及び房部とにより成る念珠の該房部が、該子珠と同じ或いはそれよりも小さい径の孫珠を複数個連ねた上で末端に、金属製の中空大珠を配置した構造としたものであることを特徴とする念珠。
【請求項２】
該中空大珠は、亜鉛合金製である請求項１記載の念珠。
【請求項３】
該中空大珠は、透かし彫り様に多数の開口を穿設したものである請求項１又は２記載の念珠。
【請求項４】
該孫珠は、その表面にオーロラ加工が施されたものである請求項１、２又は３記載の念珠。
【考案の詳細な説明】
【技術分野】
【０００１】
本考案は、デザイン性に優れ、珠同士の衝突音の小さな念珠の構造に関する。
【背景技術】
【０００２】
念珠（数珠とも言われる）は「仏・菩薩を礼拝する時に手にかけ、或いはもみ、または念仏・念誦の回数を数えるためにつまぐる用具」（岩波書店「広辞苑」）である。
貫通孔を有する多数の小さな珠（子珠、主珠等と呼ばれる）に糸を通して環状に構成されたもので、その中に親珠（又は母珠）と呼ばれる大きな珠が１珠若しくは２珠配置されている。珠の数は１０８個のものが正式とされ、本連念珠、二輪念珠等と呼ばれる。しかし現在では持ちやすくするために珠の数を減らした略式のものがよく用いられており、それらでは通常は１８〜４３個程度の珠となっている。
また念珠には「房」が付いたものが多いがその場合、一つの親珠に二つの房を垂らすのが基本形状となっている。
【０００３】
念珠は本来、純粋に葬祭用具ではあるものの、天然石その他の高価な素材を用いることも多いし、葬祭用具としてではなく、ブレスレット（そのような念珠は「数珠ブレスレット」などと呼ばれている）として日常的に装用する例も多々あり、そうした場合には装飾性の高いものが好まれている。
【０００４】
また房は、宗派や男女による違いが大きく、様々な種類のものがある。梵天房、吉祥梵天、都切房、蓮華切房、八本組紐、といったものである。ブレスレットタイプのものの場合であっても、このような旧来の房を使用するのが普通であり、極くわずかな例として房を付帯していないものがあるという程度であった。
【先行技術文献】
【特許文献】
【０００５】
【特許文献１】特開２００４−２０９０２３
【考案の概要】
【考案が解決しようとする課題】
【０００６】
このように、デザインに工夫を凝らしたもの、材質に高価な素材を用いたもの、が登場するようになったが、個性的な念珠は少なく、特にその房部の構造に関しては、全く新鮮な提案がなされていないというのが現状であった。
【課題を解決するための手段】
【０００７】
本考案者はこの点に鑑み鋭意研究の結果、まず房部を、糸を束ねたものとしている旧来の構造ではなく、念珠本体部分と同様に珠を連ねた構造とすれば、それによって斬新な念珠が得られると考えた。
【０００８】
但し単に小さな珠を連ねただけでは房箇所の存在感が希薄であって従来の房に匹敵するものとはなり得ないので、その自由端部に大型の珠を配置することで、バランスのとれたものとなった。
【０００９】
更にこれを理想的なものとするために改良を重ねた。
まず本考案者は、念珠本体の珠を親珠・子珠全てガラス製（ダイヤモンドカットしたもの）とし、房部もこのガラスで作成し、先端を大きな珠（親珠程度）、それ以外を子珠と同じものとしてみた。すると、祈祷時、念珠を揉んだり振ったりすると、不可避的に衝突音が発生してしまうことが判明した。
この問題を解消するために、房部先端の大きな珠を、金属製中空体とした。これよって衝突音は小さくなる。更にこの大きな珠を透かし構造（中空であって開口のある構造）とすれば、重量も小さくなり衝突音は殆どなくなることが分かった。
【００１０】
以上の結果本考案が完成したものでありその特徴とするところは、親珠と子珠及び房部とにより成る念珠の該房部が、該子珠と同じ或いはそれよりも小さい径の孫珠を複数個連ねた上で末端に、金属製の中空大珠を配置した構造とした点にある。
【００１１】
ここで、珠を「親珠」「子珠」「孫珠」「大珠」と区別しているが、念珠を本体部分と房部分とに分けた時、本体部は「親珠」「子珠」で構成され、房部は「孫珠」と「大珠」によって構成されているとして命名したからである。「親珠」と「子珠」との間、及び「孫珠」と「大珠」との間には大小の関係があるが、それ以外、例えば「親珠」と「大珠」、或いは「子珠」と「孫珠」の間には定まった大小の関係は存在しない。更に、「子珠」と「孫珠」については、材質・大きさ・形状が揃っていなくても良いものとする。
【００１２】
大珠は、本考案において最も特徴的な部材であり、従来の房若しくはそれ以上の存在感を呈する部分である。
まず大珠は、金属製である。金属の種類については特に限定はしない。コスト、耐衝撃性、比重、光沢、等々を勘案して適宜選択すればよい。銅・錫・アルミニウム等の単一金属であっても良いし、ステンレススチール・真鍮等の合金であっても良い。なお、本考案者が種々試作した範囲では、亜鉛合金が最適であった。亜鉛合金（ＪＩＳ規格ＺＤＣ２）であると、比重は６．６〜６．７であって、鉄（約７．８）よりも多少は軽いもののアルミニウム（約２．７）などと比較すると重量のある金属だと言える。また亜鉛合金は強度も十分あるので、薄いものとした上で透かし彫り様に多数の開口を穿設しても破損の危険性が小さい。その結果、持ち重りはするものの実際の重量は小さく衝突音の殆どない部材となる。
【００１３】
次に大珠は、中空体である。全体形状に関しては特に限定しないが、球体、ティアドロップ形、楕円球形、等が好適かと思われる。中空とは、内部空間が存在しているという意味であり、金属製の殻体によって全体形状が構成されていると言い換えることもできる。また大珠は、孫珠と紐で連結されているので、連結のための構造も当然ながら具えているわけであるがそうした構造についても、何ら限定しない。
【００１４】
中空体であるので、軽量となり衝突音は小さくなるが、透かし彫り様の開口を設けると更に衝突音は小さくなる。開口の詳細については、その形状・開口の割合（空隙率）等々いずれに関しても全く限定しない。
【００１５】
なお大珠以外の珠の材質に関しては特に限定するものではないが、子珠と孫珠については、ダイヤモンドカットしたガラス製、或いはオーロラ加工（ＡＢ加工）を施したアクリル樹脂等は、美麗であって特に好ましいと思われる。オーロラ加工とは、入射光を偏光反射させ虹のような光沢が獲られるようにする表面加工であり、偏光塗料を塗布するオーロラ加工を特にＡＢ加工と呼ぶ。
【００１６】
親珠の材質に関しても何ら限定しない。従来の念珠においても、親珠の素材として種々のものが採用されている。基本的には「木製」「石製」の２種に分けられ、木製材料としては、黒檀、紫檀、鉄刀木、白檀、つげ、梅、菩提樹、等々があり、石製材料としては、水晶、メノウ、翡翠、オニキス、等々がある。これ以外にも、ガラス、琥珀、珊瑚、プラスチックなどが採用されることもある。
【考案の効果】
【００１７】
本考案に係る念珠は、以下述べる如き効果を有する極めて有用な考案である。
（１）  美麗である。
（２）  房部端部に配置される大珠が金属製であるので、大珠同士が衝突しても大きな音を発生しない。
【図面の簡単な説明】
【００１８】
【図１】本考案に係る念珠の一例を示す概略斜視図である。
【図２】本考案に係る念珠の、大珠部分の一例を示す概略斜視図である。
【考案を実施するための形態】
【実施例１】
【００１９】
図１は、本考案に係る念珠１（以下「本考案念珠１」という）の一例を示す概略斜視図である。図より明らかなように本例の本考案念珠１は、一連式であり親珠２を二珠持つタイプの念珠である。また本例では親珠２も子珠３も、ダイヤモンドカットしたクリスタルガラス製のものを用いている。
【００２０】
２つの親珠２には、複数個の孫珠４と１個の大珠５で構成される房状体が設けられている。房状体の個数は、片方の親珠２には２個、もう片方の親珠２には３個、合計で５個である。孫珠４は、子珠３よりも一回り小さな径であって子珠３と同じくダイヤモンドカットしたクリスタルガラス製のもの、それより大きなティアドロップ形状の同じくダイヤモンドカットしたクリスタルガラス製のもの、及び極く小さな径の金属（銅）製のもの、の３種類で構成されている。
【００２１】
大珠５は、中空であって透かし彫り様の多数の開口を持つ球形体であって、亜鉛合金（ＪＩＳ規格ＺＤＣ２）製である。比重は６．６〜６．７であって、鉄（約７．８）よりも多少は軽いもののアルミニウム（約２．７）などと比較すると重量のある金属である。また亜鉛合金は強度も十分あるので、薄いものとした上で透かし彫り様に多数の開口を穿設しても破損の危険性が小さい。その結果、持ち重りはするものの実際の重量は小さく衝突音の殆どない部材となる。
【００２２】
図２は、この大珠５部分を示すものである。開口５１が見える。
【符号の説明】
【００２３】
１    本考案に係る念珠
２    親珠
３    子珠
４    孫珠
５    大珠
５１  開口
【図１】
0003191793.tif 000003
【図２】
0003191793.tif 000004